(57)【要約】      （修正有）【課題】自転車の転倒時、幼児を地面、障害物から保護する自転車の幼児用シートを提供する。【解決手段】押しバネの反発弾性で作動する衝撃緩衝材を幼児用シートに付ける。衝撃緩衝材の作動は自転車の転倒角度を角度センサーが、感知して固定ケースのロック金具が、解除され押しバネが圧縮状態から開放される、よって衝撃緩衝材が幼児の転倒する位置で幼児の頭、顔、手等を保護する作動を形成する、角度センサーを設ける。【選択図】図４
0003156232.tif 000002
【実用新案登録請求の範囲】
【請求項１】
幼児用シートに幼児を乗せた、自転車の転倒時に幼児を保護する、衝撃緩衝材を幼児用シートに付けた事を特徴とする衝撃緩衝材。
【請求項２】
自転車の転倒時に幼児を保護する衝撃緩衝材を、押しバネの反発弾性で作動する事を、特徴とする請求項１記載の衝撃緩衝材。
【請求項３】
衝撃緩衝材の作動は自転車の転倒角度を角度センサーが、感知して固定ケースのロック金具が、解除され押しバネが圧縮状態から開放される、よって衝撃緩衝材が幼児の転倒する位置で幼児の頭、顔、手等を保護する作動を形成する、角度センサーを設けた事を特徴とする請求項１記載の衝撃緩衝材。
【請求項４】
取り付け金具は幼児シート内の幼児の体形に合わせて、衝撃緩衝材が作動時の角度調整が可能な取り付け金具を有する事を特徴とする請求項１記載の衝撃緩衝材具。
【請求項５】
幼児シートに幼児が乗っていない時は、角度センサーがＯＦＦに幼児が乗っている時は幼児の体重でリミットスイッチは入り角度センサーがＯＮになるリミットスイッチを設ける事を特徴とする請求項１記載の衝撃緩衝材。
【請求項６】
衝撃緩衝材は２分割で構成していて、小さなケースで転倒時に回転ケースが反転して衝撃緩衝材が大きく開き、広い面積を形成する事が出来る構造を有する事を特徴とする請求項１記載の衝撃緩衝材。
【請求項７】
衝撃緩衝材は軟質系のハッポウウレタン材など反発弾性の優れた素材でジャバラ状の形態を構造とする事を特徴とする請求項１記載の衝撃緩衝材。
【考案の詳細な説明】
【技術分野】
【０００１】本考案は自転車幼児シートに幼児を乗せて転倒した時、幼児を怪我から保護する事に関する考案である。
【背景技術】
【０００２】従来は自転車の幼児シートに幼児が乗る時は、ヘルメット等の安全具を装着するが一般的であるが、装着率は低いのが現状で有り、又ヘルメットは頭部のみ保護されるが顔、手等は保護されない。
【考案の関示】
【考案が解決しようとする課題】
【０００３】自転車が転倒して幼児が、怪我をする不都合を解決する事を課題とする。
【課題を解決するための手段】
【０００４】この課題を解決するには幼児シートの左右サイドに衝撃緩衝材を収納したケースを取り付けて転倒時に幼児の頭、顔、手等を地面との衝撃を衝撃緩衝材で保護する。
【０００５】衝撃緩衝材はジャバラ状に形成して幼児と地面の間に位置して、転倒時の衝撃をやわらげ格納もワンタッチで出来る構造を形成する。
【０００６】衝撃緩衝材は幼児用シートに幼児が乗っている時は、ＯＮに乗っていない時はＯＦＦになるリミットスイッチを付ける。
【０００７】幼児シートに幼児が乗っている時、自転車が傾いて転倒角度になった時、角度センサーが作動して固定ケースのロック金具が解除されケース内の衝撃緩衝材が、作動して転倒する幼児と地面の間に位置される。
【考案の効果】
【０００８】自転車の転倒時、幼児シート内の幼児を地面、障害物から衝撃緩衝材で保護できる。
【考案を実施するための最良の形態】
【０００９】衝撃緩衝材４が作動する行程を図１で参照しで説明する、幼児が幼児シート１に乗った時幼児の体重でリミットスイッチ１５がＯＮに成る、寄って角度センサー９に電流が流れてＯＮになる、角度センサー９は自転車の転倒角度を感知するとロック金具１４を解除して固定ケース２内の押しバネ６で回転ケース３を反転させ（図６参照）回転ケース３内の押しバネ６で衝撃緩衝材４を押し上げて作動する、固定ケース２は回転ケース３が反転して上からの押さえが無くなり固定ケース２内の押しバネ６で衝撃緩衝材４が作動する、よって角度センサー９が感知した転倒方向に衝撃緩衝材４が作動して（図４参照）幼児の身体と地面の間に衝撃緩衝材４が敷設され、幼児の怪我を軽減する形態を形成出来る。【００１０】図２は幼児用シート１両サイドに衝撃緩衝材４を収納したケース付けた図１の背面図で有る。【００１１】図３は幼児シート１の上で緩衝材４が作動した形態の正面図である。【００１２】図４は幼児用シート１の上で角度センサー９が感知した方向側に作動した衝撃緩衝材の形態を示す背面図である。【００１３】図５はケースに衝撃緩衝材４を収納した状態を示す正面透視図である。【００１４】図６は角度センサー９が転倒角度を感知してロック金具１４が解除され衝撃緩衝材４が固定ケース２内の押しバネ６で押し上げられて支点金具８の主点ボルト５を軸として回転ケース３が反転した状態を示す正面透視図で有る。【００１５】図７は衝撃緩衝材４が、角度センサー９が転倒を感知して作動した、自転車転倒時の幼児の体を保護する衝撃緩衝材が広い面を形成した正面図である。【００１６】図８は収納した衝撃緩衝材４が作動する時、幼児の肘又は体に妨害されない角度を設定する取り付け金具１２を幼児シート１の断片１１と固定ケース２の間に付けた後背図で有る取り付け金具１２は角度調整ボルト１３の位置を変える事で取り付け金具１２の長短の調整が出来る、角度調整ボルト１３を上げると取り付け金具１２が短くなり取り付け金具１２の角度が鋭角になり、角度調整ボルト１３を下げると固定ケース２と取り付け金具１２の角度が鈍角になり角度支点ボルト７を軸として取り付け金具１２の角度を調整できる角度が鋭角になると固定ケース２が幼児シート１に垂直になり鈍角になるとケースと幼児シート１より外側になる角度を形成す。【００１７】図９は衝撃緩衝材がジャバラ状の形状を形成して、材質は軟質系の発泡ウレタンを使用して、又衝撃緩衝材が作動，収納を行う時の蝶板的役目が出来る薄い面１６を有し転倒時の衝撃を吸収する構造を示すＡ−Ａ’の断面図で有る。
図１０はジャバラ状の衝撃緩衝材４が収納状態のＢ−Ｂ’の断面図で有る
図１１は衝撃緩衝材が作動，収納を行う時の蝶板的役目が出来る構造を形成する薄い面１６示す拡大図。
【図面の簡単な説明】
【００１６】
【図１】  幼児用シートに衝撃緩衝材入りのケースを取り付け示した正面図。
【図２】  幼児用シートに衝撃緩衝材入りのケースを取り付けを示した背面図。
【図３】  幼児用シート上で衝撃緩衝材の作動を示した正面図
【図４】  転倒側に衝撃緩衝材の作動を示した背面図
【図５】  ケースに衝撃緩衝材を収納した正面透視図
【図６】  回転ケースが反転した正面図
【図７】  衝撃緩衝材が作動を示した正面図
【図８】  幼児用シートの断片にケースを取り付け金具で取り付けた背面図
【図９】  衝撃緩衝材の作動状態を示したＡ−Ａの’断面図
【図１０】  衝撃緩衝材の収納状態を示したＢ−Ｂの’断面図
【図１１】  衝撃緩衝材の断面の拡大図
【符号の説明】
【００１７】１    幼児用シートの本体
２    固定ケース
３    回転ケース
４    衝撃緩衝材
５    主点ボルト
６    押しバネ
７    角度支点ボルト
８    支点金具
９    角度センサー
１０  電池
１１  幼児用シート本体の断片
１２  取り付け金具
１３  角度調整ボルト
１４  ロック金具
１５  リミットスイッチ
１６  蝶板シート
【図１】
0003156232.tif 000003
【図２】
0003156232.tif 000004
【図３】
0003156232.tif 000005
【図４】
0003156232.tif 000006
【図５】
0003156232.tif 000007
【図６】
0003156232.tif 000008
【図７】
0003156232.tif 000009
【図８】
0003156232.tif 000010
【図９】
0003156232.tif 000011
【図１０】
0003156232.tif 000012
【図１１】
0003156232.tif 000013
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
幼児用シートに幼児を乗せた、自転車の転倒時に幼児を保護する、衝撃緩衝材を幼児用シートに付けた事を特徴とする衝撃緩衝材を取り付けた自転車の幼児用シート。
【請求項２】
自転車の転倒時に幼児を保護する衝撃緩衝材を、押しバネの反発弾性で作動する事を、特徴とする請求項１記載の衝撃緩衝材を取り付けた自転車の幼児用シート。
【請求項３】
衝撃緩衝材の作動は自転車の転倒角度を角度センサーが、感知して固定ケースのロック金具が、解除され押しバネが圧縮状態から開放される、よって衝撃緩衝材が幼児の転倒する位置で幼児の頭、顔、手等を保護する作動を形成する、角度センサーを設けた事を特徴とする請求項１記載の衝撃緩衝材を取り付けた自転車の幼児用シート。
【請求項４】
取り付け金具は幼児シート内の幼児の体形に合わせて、衝撃緩衝材が作動時の角度調整が可能な取り付け金具を有する事を特徴とする請求項１記載の衝撃緩衝材を取り付けた自転車の幼児用シート。
【請求項５】
幼児シートに幼児が乗っていない時は、角度センサーがＯＦＦに幼児が乗っている時は幼児の体重でリミットスイッチは入り角度センサーがＯＮになるリミットスイッチを設ける事を特徴とする請求項１記載の衝撃緩衝材を取り付けた自転車の幼児用シート。
【請求項６】
衝撃緩衝材は２分割で構成していて、小さなケースで転倒時に回転ケースが反転して衝撃緩衝材が大きく開き、広い面積を形成する事が出来る構造を有する事を特徴とする請求項１記載の衝撃緩衝材を取り付けた自転車の幼児用シート。
【請求項７】
衝撃緩衝材は軟質系のハッポウウレタン材など反発弾性の優れた素材でジャバラ状の形態を構造とする事を特徴とする請求項１記載の衝撃緩衝材を取り付けた自転車の幼児用シート。